(57)【要約】【課題】環境に悪影響を及ぼすことなく、効率的に蔓性植物を根絶できる方法を提供する。【解決手段】本発明にかかる蔓性植物根絶方法は、蔓性植物の蔓(1)の一部(2)を切断し、該蔓の貯蔵根(3)側切断面(4)から薬剤(5)を吸引させることを特徴とする。この蔓性植物根絶方法においては、該切断面を該薬剤に浸しておいてもよい。また、該薬剤を該切断面に塗布してもよく、該薬剤を被覆物(6)に含有させ該被覆物を該切断面に被着してもよい。更に、該薬剤は遅効性の効能成分を含有していてもよい。【選択図】図１
2005218359.tif 000002
【特許請求の範囲】
【請求項１】
蔓性植物の蔓(1)の一部(2)を切断し、該蔓(1)の貯蔵根(3)側切断面(4)から薬剤(5
)を吸引させることを特徴とする蔓性植物根絶方法。
【請求項２】
該切断面(4)を該薬剤(5)に浸しておく請求項１に記載の蔓性植物根絶方法。
【請求項３】
該薬剤(5)を該切断面(4)に塗布する請求項１に記載の蔓性植物根絶方法。
【請求項４】
該薬剤(5)を被覆物(6)に含有させ、該被覆物(6)を該切断面(4)に被着する請求項１に記載の蔓性植物根絶方法。
【請求項５】
該薬剤(5)は遅効性の効能成分を含有している請求項１〜４のいずれか一つの項に記載の蔓性植物根絶方法。
【発明の詳細な説明】
【技術分野】
【０００１】
本発明は、葛等の蔓性植物の根絶方法に関するものである。
【背景技術】
【０００２】
現在、高速道路において、葛等の蔓性植物が一面に繁茂し、景観が損なわれたり、視認性が阻害されたりする状況がある。また、冬季に、のり面を覆う蔓性植物が落葉すると、土壌が緊縛されなくなったのり面の崩壊を招くこともある。更に、盛土のり面等においては、生活環境保全植栽、自然環境保全植栽等の植栽工事により植栽された樹木が、蔓性植物による巻きつきによって被圧され枯損に至るという問題が発生している。
【０００３】
しかし、その一方で蔓性植物は、その蔓や葉が、機械的に刈り取られたり或いは通常の薬液散布で枯殺されたりしたとしても、地中に伸びた貯蔵根が生きていればそこから再び萌芽する性質を備えている。つまり、蔓性植物を根絶するには、貯蔵根を完全に取り除く必要がある。
【０００４】
そこで、蔓性植物の貯蔵根を枯殺するための方法が考案されており、そのような方法として、例えば、特公昭３７−６１４に開示された枯殺方法がある。この枯殺方法は、貯蔵根に直接枯殺剤を施し、根部を含む植物体を枯殺するというものである。
【特許文献１】特公昭３７−６１４号公報
【発明の開示】
【発明が解決しようとする課題】
【０００５】
しかしながら、上記枯殺方法では、蔓が旺盛に繁茂している場合、枯殺剤を施すための貯蔵根を探し出す作業が極めて困難となり、多大な労力や時間を必要とし、蔓性植物を効率良く根絶することができないという問題があった。
【０００６】
一方、貯蔵根を探す作業を省略し、薬液の散布のみで貯蔵根を枯殺させる場合、相当量の散布が必要となり、薬液飛散による他の植物の枯損を招く等、環境に対する影響が問題となった。
【０００７】
そこで、本発明の目的は、環境に悪影響を及ぼすことなく、効率的に蔓性植物を根絶できる方法を提供することにある。
【課題を解決するための手段】
【０００８】
本発明にかかる蔓性植物根絶方法は、蔓性植物の蔓の一部を切断し、該蔓の貯蔵根側切断面から薬剤を吸引させることを特徴とする。
【０００９】
該切断面を該薬剤に浸しておいてもよい。
【００１０】
該薬剤を該切断面に塗布してもよい。
【００１１】
該薬剤を、被覆物に含有させ、該被覆物を該切断面に被着してもよい。
【００１２】
該薬物は遅効性の効能成分を含有するものであってもよい。
【発明の効果】
【００１３】
本発明にかかる蔓性植物根絶方法は、葉で作られた養分を貯蔵根に運搬する蔓の機能を利用したものである。すなわち、蔓が、貯蔵根側切断面から吸引した薬剤を貯蔵根に運搬するため、薬剤を貯蔵根に直接施すことなく作用させることが可能となる。そのため、貯蔵根を探す必要がなく、実施の準備に要する労力や時間を削減して効率よく蔓性植物を根絶できる。また、薬剤は、蔓の貯蔵根側切断面に接触するように施せばよく散布する必要がないので、環境に悪影響を及ぼすこともない。
【００１４】
貯蔵根側切断面を薬剤に浸しておくようにした場合、浸しておく薬剤を変えることで薬剤の貯蔵根への作用を容易に調整することができる。
【００１５】
薬剤を貯蔵根側切断面に塗布するものとした場合、その切断面を浸漬させる必要がある液体と比較して、容器が不要になる等、取り扱いが容易になる。
【００１６】
薬剤を貯蔵根側切断面に被着するものとした場合、被着作業に適した形状に予め加工しておくことが可能となり、取り扱いが更に容易になる。
【００１７】
薬剤が遅効性の効能成分を含有するものであれば、長時間にわたって吸収されることになり、貯蔵根に作用し始めた時には連なる貯蔵根の全てに行き渡った状態になる。そのため、大量の貯蔵根を効率よく根絶できる。なお、遅効性の効能成分を含有するものとして、例えば、通常の薬剤を所定の濃度に希釈して使用することも可能である。
【発明を実施するための最良の形態】
【００１８】
図１を参照しながら、本発明にかかる蔓性植物根絶方法の具体例を説明する。図１は、同方法により根絶させる蔓の状態を示す概略図である。
【００１９】
本発明にかかる蔓性植物根絶方法により蔓性植物を根絶させるためには、まず、根絶対象となる蔓性植物が繁茂している場所において、適当な蔓１を任意に選択する。そして、その選択した蔓１の一部２を切断し、貯蔵根３側切断面４から薬剤５を吸引させる。
【００２０】
この方法によれば、蔓１は、貯蔵根３側切断面４から吸引した薬剤５を貯蔵根３に運搬するため、薬剤５を貯蔵根３に直接施すことなく作用させることが可能となる。そのため、貯蔵根３を探す必要がなく、実施の準備に要する労力や時間を削減して効率よく蔓性植物を根絶できる。また、薬剤５は、蔓１の貯蔵根３側切断面４に接触するように施せばよく散布する必要がないので、環境に悪影響を及ぼすおそれが小さい。
【００２１】
この方法においては、切断面４を薬剤５に浸した状態としている。
こうすると、浸しておく薬剤５を変えることで薬剤５の貯蔵根３への作用を容易に調整することができる。例えば、蔓の状態を見ながら薬剤５の濃度や成分の調整を、適宜容易に行うことも可能である。
【００２２】
図１において、薬剤５用の容器７としてたらい状のものが使用されているが、この容器７の形状に制限はなく、設置条件等に適したものを使用すればよい。例えば、この容器７として、液体が外部にもれにくい差込口をもつ袋状のものを使用すれば、雨水による希釈や漏洩による土壌汚染等を防止することができる。更に、生分解性の材質からなるものを使用すれば、容器を回収しなくても土壌を汚すおそれがなく、回収の労力や時間を削減することができる。
【００２３】
薬剤５は遅効性の効能成分を含有するものとなっている。
こうすると、薬剤５が長時間にわたって吸収されることになり、貯蔵根３に作用し始めた時には連なる貯蔵根の全てに行き渡った状態になる。そのため、大量の貯蔵根を効率よく根絶できる。なお、遅効性の効能成分を含有するものとして、通常の薬剤を所定の濃度に希釈したもの、例えば根絶対象が葛であればグリホサートを水で五千〜一万倍に希釈したもの使用してもよい。
【００２４】
蔓１に薬剤５を吸引させるに際し、貯蔵根３側切断面４を薬剤５に浸す代わりに、図２に示すように、薬剤５を切断面４に塗布してもよい。図２は、薬剤５を塗布した切断面４を拡大して示す斜視図である。
こうすると、切断面４を浸漬させる必要がある液体と比較して、容器７が不要になる等、取り扱いが容易になる。
【００２５】
また、図３に示すように、薬剤５を含有させた被覆物６を切断面４に被着してもよい。図３は、薬剤５を含有する被覆物６を被着した切断面４を拡大して示す斜視図である。
こうすると、被着作業に適した形状に予め加工しておくことが可能となり、取り扱いが更に容易になる。
【図面の簡単な説明】
【００２６】
【図１】本発明にかかる蔓性植物根絶方法の具体例において、同方法により根絶させる蔓の状態を示す概略図である。
【図２】薬剤を施す他の態様として、薬剤を塗布した切断面を拡大して示す斜視図である。
【図３】薬剤を施す更に他の態様として、薬剤を含有する被覆物を被着した切断面を拡大して示す斜視図である。
【符号の説明】
【００２７】
１  蔓
２  一部
３  貯蔵根
４  切断面
５  薬剤
６  被覆物
７  容器
【図１】
2005218359.tif 000003
【図２】
2005218359.tif 000004
【図３】
2005218359.tif 000005